(57)【要約】【課題】  引出を完全に引き出さなくとも、引出の手前側から順次、収納された被収納物が上昇し、引出内部の被収納物を容易に取り出せることで、使用者の体への負荷の低減を維持することが可能な収納庫を提供することを目的とする。【解決手段】  本発明にかかる収納庫の代表的な構成は、被収納物を収納可能な引出１２０と、引出１２０内に配置され、被収納物を載置可能なポケット１４０と、引出１２０をスライド自在に収納可能なベースキャビネット１００と、ベースキャビネット１１０に収納された引出１２０がベースキャビネット１００から引き出されることによってポケット１４０を上昇させ、また、引出１２０がベースキャビネット１００へ押し込まれることによってポケット１４０を下降させる昇降機構１５０とを備え、ポケット１４０の上縁は、奥側が低く、手前側が高いことを特徴とする。【選択図】図２
2010183982.tif 000002
【特許請求の範囲】
【請求項１】
被収納物を収納可能な引出をスライド自在に収容可能な収納庫であって、
前記引出は、内部に被収納物を載置可能な載置部材をさらに有し、
前記収納庫に収容された前記引出が当該収納庫から引き出される動作に連動して前記載置部材を上昇させ、また、該引出が当該収納庫へ押し込まれる動作に連動して該載置部材を下降させる昇降機構を備え、
前記載置部材の上縁は、奥側が低く、手前側が高いことを特徴とする収納庫。
【請求項２】
前記載置部材の底面は、奥側が高く、手前側が低いことを特徴とする請求項１に記載の収納庫。
【請求項３】
前記載置部材は、天面が開放された階段状のポケットであることを特徴とする請求項１または２に記載の収納庫。
【請求項４】
前記載置部材は、前記引出の前板の背面に隣接する位置に設けられることを特徴とする請求項１から３のいずれか１項に記載の収納庫。
【請求項５】
被収納物を収納可能な引出をスライド自在に収容可能な収納庫であって、
前記引出の内部に設けられた、被収納物を載置可能な、手前側の第１載置部材および奥側の第２載置部材と、
当該収納庫に収容された前記引出が該収納庫から引き出される動作に連動して前記第１載置部材および第２載置部材を上昇させ、また、該引出が当該収納庫へ押し込まれる動作に連動して該第１載置部材および第２載置部材を下降させる昇降機構と、
を備え、
前記第２載置部材は、前記第１載置部材の上昇開始時より遅延して上昇を開始することを特徴とする収納庫。
【発明の詳細な説明】
【技術分野】
【０００１】
本発明は、システムキッチンに設けられ、被収納物を収納する引出を有する収納庫に関するものである。
【背景技術】
【０００２】
システムキッチンにおいて使用される調理器具は、ボールやざる等の丸型形状のもの、レードルや菜ばし等の長手形状のもの、包丁、ナイフ等の刃物類、ラップ・ホイル類等、多岐にわたる。これらの調理器具等の被収納物を収納するために、天板（システムキッチンにおいてはワークトップ）の下には、引出や開き戸が設けられるのが通常である。
【０００３】
上記の中でも、引出を有する収納庫は、被収納物を引出へ容易に収納でき、複数の引出を水平もしくは垂直方向のいずれか一方向または両方向に並列に設けることにより、高い空間効率を得ることができる。このため、上記の調理器具以外にも、上記調理器具より大きいフライパン、鍋等の調理器具、塩、胡椒等の調味料類、食品の瓶詰め等、大小様々な被収納物を上方から収納することができる。
【０００４】
しかし、天板の下に収納スペースを設けるために、必然的に引出等は、足元などの低い位置となる。このため一般の成人使用者の腰以下の低位置に設けられた引出は、使用者が当該引出の被収納物を利用する際には腰をかがめるか、しゃがみ込むことによって被収納物を出し入れすることになる。このことは、長時間キッチンで立ち仕事をする場合や、高齢により体の自由がきかなくなってきた場合など、使用者によっては負担に感じる場合も想定される。
【０００５】
そこで従来からも、低い位置の引出に対して、被収納物の出し入れを容易とするための工夫が検討されていた。
【０００６】
例えば特許文献１および特許文献２には、引出に設けられ、摺動機構により完全に引き出した状態の引出を引出高さから使用高さまで上昇させ、その後引出高さまで下降させる昇降機構を有するキャビネットが開示されている。
【０００７】
特許文献１あるいは特許文献２に記載のキャビネットによれば、使用者は、昇降機構により引出を使用高さまで上昇させた状態で、被収納物を取り出すことが可能であるため、取出し時に使用者が屈む等の体勢の負担を軽減することができるとしている。
【０００８】
また、特許文献３では、引出内部の収納棚を昇降させることで、特許文献１および特許文献２と同様の効果を奏するとしている。
【先行技術文献】
【特許文献】
【０００９】
【特許文献１】特開２００７−２１５６７８号公報
【特許文献２】特開２００７−２１５６７９号公報
【特許文献３】特開２００７−３３０５６４号公報
【発明の概要】
【発明が解決しようとする課題】
【００１０】
例えば上記特許文献１および特許文献２に開示された構成においては、引出の位置が高くなるために確かに被収納物を取り出しやすくなると考えられるが、引出の全体を回転させながら上昇させる構成である。しかしながら、引出は木製や金属製の前板や、底板、側板などから構成されていて、何も収容していなくてもかなりの重量を有している。まして引出の中に様々な被収納物を収納すると、これを回転させるために必要な労力は、逐一屈むよりも多大なものとなってしまいかねない。
【００１１】
とりわけ、引出の手前側に収納された被収納物は、引出をわずかに引き出した時点で露出するので、取り出すことは可能である。しかし、特許文献１および特許文献２に記載のキャビネットでは、引出をキャビネット外に完全に引き出した状態まで水平方向に摺動させてからでないと、引出を使用高さまで持ち上げることができない。するとキッチンで作業している使用者は１歩下がって引出を大きく引き出さなければならないことになり、たび重なれば煩わしく感じられるおそれがある。
【００１２】
また、特許文献３に記載のフロアーキャビネットにおいても同様に、引出をキャビネット外に引き出した状態まで水平方向に摺動させてからでないと、収納棚を使用高さまで上昇させることができない。したがって、引出をわずかに引き出した時点では、使用者は、屈む体勢をとらなければ引出の手前側に収納された被収納物を取り出すことができない。
【００１３】
そこで、例えば特許文献３に記載の収納棚を、引出をわずかに引き出した早期の時点で上昇させることが対策として考えられる。しかし、かかる収納棚を早期に上昇させると、収納棚は上段の引出に衝突してしまうという問題が生じる。
【００１４】
本発明は、このような問題に鑑み、引出を完全に引き出さなくとも、引出の手前側から順次、収納された被収納物が上昇し、引出内部の被収納物を容易に取り出せることで、使用者の体への負荷の低減を維持することが可能な収納庫を提供することを目的としている。
【課題を解決するための手段】
【００１５】
上記課題を解決するために、本発明にかかる収納庫の代表的な構成は、被収納物を収納可能な引出をスライド自在に収容可能な収納庫であって、引出は、内部に被収納物を載置可能な載置部材をさらに有し、収納庫に収容された引出が収納庫から引き出される動作に連動して載置部材を上昇させ、また、引出が収納庫へ押し込まれる動作に連動して載置部材を下降させる昇降機構とを備え、載置部材の上縁は、奥側が低く、手前側が高いことを特徴とする。
【００１６】
上記構成によれば、引出を引き出すだけで載置部材が上昇し、載置部材に載置された被収納物も上昇するため、使用者は被収納物を出し入れする際に極端に屈む必要がなく、楽な姿勢で作業でき、体への負荷が低減される。また、収納時には引出を押し込むだけで載置部材が降下するため、上昇した被収納物は収納庫内に問題なく収納される。
【００１７】
しかも載置部材は、その上縁の奥側が低く、手前側が高くなっているため、被収納物は、引出の手前側から順次、優先的に上昇することとなる。したがって、引出を完全に引き出さなくても、引出の手前側の早期に上昇した被収納物を容易に出し入れすることが可能である。なお、載置部材の上縁の高さに規定はなく、収納時および引き出し時に、上部引出に衝突しなければよい。
【００１８】
上記の載置部材の底面は、奥側が高く、手前側が低いとよい。載置部材の奥側は、もともと上縁が低いことから、手前側より上昇が遅れ、引出を完全に引き出しても、手前側より被収納物の取り出し易さの面で劣る。そこで奥側の底面の位置を高くし、すなわち上げ底にすれば、被収納物の出し入れのしにくさが一定程度解消される。使用者が被収納物を出し入れする際の出し入れのし易さは、使用者がどの程度屈む必要があるかによって決定される。つまり、被収納物の高さは、載置部材の底面の高さによって決定され、この高さが高いほど取り出しやすくなる。その一方、上げ底にすれば、載置部材の容積が失われるというデメリットもあるため、無制限に上げ底にすべきでなく、被収納物の大きさに応じて決定するとよい。
【００１９】
上記の載置部材は、天面が開放された階段状のポケットであるとよい。かかる構成によれば、引出が収納庫から引き出されることによってポケットが上昇すると、引出内に収納された被収納物のうち、ポケットに収納された被収納物のみが上昇することとなる。したがって、昇降機構によって上昇させる被収納物の重量が低減されるため、引出を引き出すために要する力を低下させることができる。また、ポケットに被収納物を収納することができ、引出内の整理整頓が可能となる。
【００２０】
上記の載置部材は、引出の前板の背面に隣接する位置に設けられるとよい。被収納物を可能な限り早期に露出させ、少ない引き出し量（ストローク）で被収納物を取り出しやすくするためである。
【００２１】
上記課題を解決するために、本発明にかかる収納庫の他の構成は、被収納物を収納可能な引出をスライド自在に収容可能な収納庫であって、引出の内部に設けられた、被収納物を載置可能な、手前側の第１載置部材および奥側の第２載置部材と、当該収納庫に収容された前記引出が該収納庫から引き出される動作に連動して第１載置部材および第２載置部材を上昇させ、また、引出が当該収納庫へ押し込まれる動作に連動して第１載置部材および第２載置部材を下降させる昇降機構とを備え、第２載置部材は、第１載置部材の上昇開始時より遅延して上昇を開始することを特徴とする。
【００２２】
かかる構成により、引出を完全に引き出さなくても引出の手前側の第１載置部材上の被収納物を容易に出し入れ可能となるだけでなく、奥側の第２載置部材も手前側の第１載置部材と同様に深い容量を備えることができ、より高い空間効率を得ることができる。
【発明の効果】
【００２３】
本発明によれば、引出を完全に引き出さなくとも、引出の手前側から順次、収納された被収納物が上昇し、引出内部の被収納物を容易に取り出せることで、使用者の体への負荷の低減を維持することが可能な収納庫を提供することができる。
【図面の簡単な説明】
【００２４】
【図１】本実施形態に係る収納庫を備えたシステムキッチン全体を示す斜視図である。
【図２】図１のベースキャビネットをシステムキッチンの長手方向に見た図である。
【図３】図２のベースキャビネットの概略構造を示す断面図である。
【図４】載置部材の例としてのポケットの構成を説明する図である。
【図５】第１実施形態における引出を収納庫からわずかに引き出した時点の状態を示す断面図である。
【図６】第１実施形態における収納庫外に引出を引き出した状態を示す断面図である。
【図７】第２実施形態におけるベースキャビネットの概略構造を示す図である。
【図８】第２実施形態に引出を収納庫からわずかに引き出した時点の状態を示す図である。
【図９】第２実施形態における収納庫外に引出を引き出した状態を示す図である。
【発明を実施するための形態】
【００２５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２６】
図１は本実施形態に係る収納庫を備えたシステムキッチン全体を示す斜視図である。システムキッチン１０は１枚の天板１１（ワークトップ）の下の複数の収納庫で構成されている。本実施形態は収納庫は３つであり、コンロ１３が設置されているコンロキャビネット２０と、調理スペース１２に対応したシンク３１が設置されているシンクキャビネット３０と、調理スペース１２に対応したベースキャビネット１００とである。天板１１は合成樹脂（人工大理石）やステンレスなどからなり、システムキッチン１０の全体の上面を覆っている。
【００２７】
各キャビネットは、被収納物を収納するために、様々な大きさの引出をスライド自在に設けている。例えばコンロキャビネット２０は、上部にコンロ１３のグリル１３ａおよび操作パネル１３ｂを備え、その脇には調味料などの小物を収納するための小さな引出であるスパイスボックス２１が配設されている。コンロキャビネット２０の中央部、すなわちグリル１３ａの下には幅の広い大きな引出２２が配設され、鍋やボウルなどの比較的大きな調理器具を収納することが可能になっている。またコンロキャビネット２０の下部の床近傍には、引出式の足元収納であるフロアコンテナ２３が配設されている。
【００２８】
同様に、ベースキャビネット１００には複数の比較的小さな引出１０１、１２０およびフロアコンテナ１０４が備え付けられている。シンクキャビネット３０にはフロアコンテナ３３と、フロアコンテナ３３から天板１１に到る高い前板を備えた引出３２が備え付けられている。
【００２９】
次に、本実施形態の特徴である収納庫（キャビネット）について説明する。上記したコンロキャビネット２０、シンクキャビネット３０、ベースキャビネット１００のうち、ベースキャビネット１００を例にとって説明する。
【００３０】
図２は、図１のベースキャビネット１００をシステムキッチン１０の長手方向に見た図である。図３は、図２のＡ−Ａ断面図であり、第１実施形態におけるベースキャビネット１００の概略構造を示す。図４は載置部材の例としてのポケットの構成を説明する図である。ベースキャビネット１００は被収納物（図示は省略）を収納可能な引出１２０をスライド自在に収納可能である。
【００３１】
引出１２０には、引出自体とは別に、被収納物を載置可能な載置部材の例として、ポケット１４０が設けられている。ポケット１４０は、調理器具や調味料など、頻繁に使用するものを収容することを目的としている。例えば、ボールやざる、鍋などの比較的大きなものは引出１２０本体に収納し、レードルや菜ばし、ラップ・ホイル類等の長手形状のもの、調味料などの小さなものなどをポケット１４０に収納することが想定される。
【００３２】
本実施形態においてポケット１４０は、天面が開放され、上縁が階段状に形成されている。階段状のポケット１４０は、図３および図４に示すように、上縁の奥側が低く、手前側が高くなっている。より具体的には、ポケット１４０は、複数（本実施形態では２つ）の小ポケット１４０ａ、１４０ｂで一体的に構成されていて、手前側の小ポケット１４０ａの上縁１４１が、奥側の小ポケット１４０ｂの上縁１４２より高い位置にある。
【００３３】
引出１２０の内部には、さらに、引出１２０内にポケット１４０を装着するための支持部材１３０が設置されている。ポケット１４０は、図２に示すように、支持部材１３０の梁１９０に、手前側の小ポケット１４０ａの上縁１４１にて、着脱可能に懸架される。
【００３４】
ベースキャビネット１００はさらに、昇降機構１５０を備え、これは、ベースキャビネット１００に収納された引出１２０がベースキャビネット１００から引き出されることによってポケット１４０を支持部材１３０ごと上昇させ、また、引出１２０が当該ベースキャビネット１００へ押し込まれることによってポケット１４０を支持部材１３０ごと下降させる。
【００３５】
昇降機構１５０は、より具体的には、支持部材１３０とレール１８０とから構成される。支持部材１３０は、摺動部材１６４と、梁１９０と、摺動部材１６４から奥側に向かって連結されたアーム１７０と、アーム１７０の奥側に設けられた複数のプーリ１７１、１７２とを有している。一方、レール１８０は、ベースキャビネット１００内の壁板１００ａに配置されている。支持部材１３０の各要素およびレール１８０は引出１２０の左右方向に対称に構成されていて、梁１９０を除いて左右両側にそれぞれ２つ（鏡面対称に）配置されている。なお、引出１０１、１０２、１２０そのものを出し入れするためのレール機構は一般的なものでよいため、図示を省略している。
【００３６】
支持部材１３０にはアーム１７０が配置されている。さらにアーム１７０にレール１８０を上下から挟み込むように２つのプーリ１７１、１７２が取り付けられていて、引出１２０をスライド自在に移動可能である。レール１８０の形状は、図示したように、平行四辺形であり、アーム１７０はレール１８０上をスライドすると共に、上昇あるいは下降することが可能である。
【００３７】
アーム１７０が上昇する際に、支持部材１３０と引出１２０とを接続するバネ（図示は省略）によって、支持部材１３０を上方に付勢することにより、支持部材１３０を上方へ引き上げる力を要せず、単純に引出１２０を引き出すだけで、簡便にポケット１４０を上昇させることが可能となる。
【００３８】
図５は図３の引出１２０をベースキャビネット１００の外に引き出し始めた図であり、図６は、引出１２０を当該ベースキャビネット１００の外に引き出した状態を示す。昇降機構１５０は既に説明した構成を有するため、引出１２０を引き出すと、図４〜図５に示すように、アーム１７０はレール１８０に沿って、水平な姿勢を保ちつつ、上昇しながらスライドする。
【００３９】
引出１４０を引き出すとき、階段状の形状を有するポケット１４０のうち、最も早く露出する手前側の小ポケット１４０ａの上縁が最も高い位置まで上昇し、引出１２０の手前側から順次、被収納物が上昇することとなる。言い換えれば、図４に示すように、引出１２０を完全に引き出さなくとも、引き出し始めた直後に、既にポケット１４０は上昇を開始するため、小ポケット１４０ａに収容されている被収納物は早期に高い位置まで上昇する。
【００４０】
しかも、ポケット１４０は、引出１２０の前板１６０の背面に隣接する位置に設けられている。したがって、図５に示すように、引出１４０を引き出し始めた直後に昇降機構１５０による上昇を開始させても、露出したポケット１４０ａは上部引出３００に衝突することなく、上部引出３００の下端より高い位置まで、早期に上昇可能である。
【００４１】
なお、ポケット１４０の上縁の高さに規定はなく、引出１２０が当該ベースキャビネット１００に収納できうる高さで、かつ収納時にポケット１４０およびその被収納物が上部引出３００に衝突しなければよい。
【００４２】
すなわちポケット１４０に被収納物を収納したとき、ある程度突出することが想定される。むろん何を収納するかは使用者次第ではあるが、一般的に想定される被収納物の長さはある程度特定される。そこでポケット１４０の底面から被収納物の長さを考慮して、ポケット１４０の上方に被収納物の突出高さ領域１４６を設定する。図５および図６において、突出高さ領域１４６を斜線にて示している。そして突出高さ領域１４６が上部引出３００やベースキャビネット１００に衝突しないように、奥側の小ポケット１４０ｂの上縁の高さを決定することができる。
【００４３】
上記の構成によれば、ポケット１４０の奥行き方向の大きさを大きくしつつ、上部引出３００と衝突することなく、早期にポケット１４０の上昇を開始することができる。したがって、引出１２０をわずかに引き出した状態でも、引出１２０の手前側の、早期に上昇する小ポケット１４０ａに収納されている被収納物を、屈むことなく容易に取り出すことができる。したがって使用者の体への負荷の低減が維持されるし、奥側の小ポケット１４０ｂよりも、手前側の優先的に上昇する小ポケット１４０ａに頻繁に使用する被収納物を収容しておけば、逐一引出１２０を完全に引き出す必要もなくなり、作業能率も向上する。
【００４４】
また第１実施形態において、ポケット１４０の底面のうち、奥側の小ポケット１４０ｂの底面１４４を高く、手前側の小ポケット１４０ａの底面１４３を低く形成している。ポケット１４０が完全に上昇した場合であっても、奥側の小ポケット１４０ｂは、手前側の小ポケット１４０ａよりも上縁が低い。そのため一見すると使用者から遠くなるように思われる。しかし実際は、被収納物の高さを決めるのはポケット１４０の底面であって上縁でなく、使用者から遠くなってしまうのは奥側にあるからである。
【００４５】
そこで上記のように、奥側の小ポケット１４０ｂの底面１４４の位置を高く、すなわち上げ底にすることにより、奥側の小ポケット１４０ｂに収納された被収納物を使用者に近づけることができる。当然に奥側の小ポケット１４０ｂに収納できる被収納物の高さは低くなる（長さが短くなる）が、頻繁に使用する物、例えば塩、胡椒等の調味料類、食品の瓶詰め等背の低い被収納物を、手前側の収納物、例えばレードルや菜ばし等の長手形状の被収納物と、同等の高さとすることができる。このため、使用者は手前側と奥側のポケット１４０ａ、１４０ｂのいずれに収納された被収納物も取りやすくなり、使用者が極端に屈む必要がなくなる。
【００４６】
（第２実施形態）
本発明に係る収納庫の第２実施形態について説明する。図７は第２実施形態にかかるベースキャビネットの概略構造を示す図であって、上記第１実施形態と説明の重複する部分は同一の符号を付して説明を省略する。
【００４７】
上記第１実施形態において、載置部材の例としてのポケット１４０は上縁が階段状であると説明した。これに対し本実施形態は、載置部材として複数の別体のポケット２００、２１０を備え、別々に昇降動作させる例である。
【００４８】
図７に示すベースキャビネット１００の引出１２０内には、手前側に第１ポケット２００、奥側に第２ポケット２１０を有している。
【００４９】
第１ポケット２００および第２ポケット２１０の特徴は、引出１２０の幅方向に並べられた図２に示す複数のポケット１４０と異なり、引出１２０の奥行き方向に並べられていることである。また、一体成形され、当初から階段状となっている第１の実施形態のポケット１４０と異なり、第１ポケット２００および第２ポケット２１０は、別体であり、しかも、それらの高さは等しい。
【００５０】
本実施形態においても、ベースキャビネット１００に収納された引出１２０が引き出されることによって第１ポケット２００および第２ポケット２１０が上昇し、また、引出１２０が当該ベースキャビネット１００へ押し込まれることによって第１ポケット２００および第２ポケット２１０が下降する。その昇降機構２５０を、以下、詳細に説明する。
【００５１】
図７に示すように、本実施形態の昇降機構２５０について、第１の実施形態と異なる点について説明する。昇降機構２５０を構成するアーム２４０は、図７に示すように、内側に向かって突出した短い突起２３０を有している。一方、第２ポケット２１０には、突起２３０を上下移動自在に受け入れるスリット２２０が形成されている。この構造のため、第２ポケット２１０が幅方向に設置可能な数は１個である。
【００５２】
アーム２４０はその手前側の先端にて、第１ポケット２００に固定されている。
【００５３】
引出１２０が閉まった状態では、図７に示すように、スリット２２０の下端に突起２３０が位置している。引出１２０を引き出す際、アーム１７０の上昇とともに第１ポケット２００も上昇するが、第２ポケット２１０は、当初、スリット２２０と突起２３０が当接しないために、上昇しない。やがて、図８に示すように、アーム１７０が有する突起２３０がスリット２２０の上端まで到達すると、スリット２２０を介して第２ポケット２１０を支持するため、さらにアーム１７０が上昇すると、第２ポケット２１０も上昇を開始する。このように、図９に示すように、アーム１７０はスリット２２０の長さ分遅延して、第２ポケット２１０を上昇させることとなる。
【００５４】
上記説明したように、本実施形態では、第２ポケット２１０が第１ポケット２００に遅延して上昇を開始するため、図８および９に示すように、引出１２０を引き出す際、完全に引き出さなくても、引出１２０の手前側の優先的に上昇する第１ポケット２００上の被収納物を容易に出し入れ可能となる。また、第２ポケット２１０は遅延して上昇するため、引出１２０の引き出し時に、被収納物が上部引出３００へ衝突するのを避けることも可能である。さらに、第１の実施形態と異なり、奥側の第２ポケット２１０も手前側の第１ポケット２００と同様に深い容量を備えることができ、菜ばしやレードル等の長手形状のものを多数収納でき、使用者の利便性が高まる。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、被収納物を収納する引出を有する収納庫に利用することができる。
【符号の説明】
【００５７】
１０…システムキッチン、１１…天板、１２…調理スペース、１３…コンロ、１３ａ…グリル、１３ｂ…操作パネル、２０…コンロキャビネット、２１…スパイスボックス、２２…引出、２３…足元収納庫、３０…シンクキャビネット、３１…シンク、３２…引出、３３…足元収納庫、１００…ベースキャビネット、１０１…引出、１０２…足元収納庫、１２０…引出、１３０…支持部材、１４０…ポケット、１４６…突出高さ領域、１５０…昇降機構、１６０…前板、１６４…摺動部材、１７０…アーム、１７１…上プーリ、１７２…下プーリ、１８０…レール、１９０…梁、２００…第１ポケット、２１０…第２ポケット、２２０…スリット、２３０…突起、２４０…アーム、２５０…昇降機構、３００…上部引出
【図１】
2010183982.tif 000003
【図２】
2010183982.tif 000004
【図３】
2010183982.tif 000005
【図４】
2010183982.tif 000006
【図５】
2010183982.tif 000007
【図６】
2010183982.tif 000008
【図７】
2010183982.tif 000009
【図８】
2010183982.tif 000010
【図９】
2010183982.tif 000011
【手続補正書】
【提出日】平成21年3月5日(2009.3.5)
【手続補正１】
【補正対象書類名】明細書
【補正対象項目名】００２７
【補正方法】変更
【補正の内容】
【００２７】
各キャビネットは、被収納物を収納するために、様々な大きさの引出をスライド自在に設けている。例えばコンロキャビネット２０は、上部にコンロ１３のグリル１３ａおよび操作パネル１３ｂを備え、その脇には調味料などの小物を収納するための小さな引出であるスパイスボックス２１が配設されている。コンロキャビネット２０の中央部、すなわちグリル１３ａの下には幅の広い大きな引出２２が配設され、鍋やボウルなどの比較的大きな調理器具を収納することが可能になっている。またコンロキャビネット２０の下部の床近傍には、引出式の足元収納庫２３が配設されている。
【手続補正２】
【補正対象書類名】明細書
【補正対象項目名】００２８
【補正方法】変更
【補正の内容】
【００２８】
同様に、ベースキャビネット１００には複数の比較的小さな引出１０１、１２０および足元収納庫１０２が備え付けられている。シンクキャビネット３０には足元収納庫３３と、足元収納庫３３から天板１１に到る高い前板を備えた引出３２が備え付けられている。